(57)【特許請求の範囲】
【請求項１】
多段にして略水平に積層したコンクリート版を、後方型枠部又は側方型枠部における水平部と鉛直部との隅角部の少なくとも一部に設けた起立手段によって、略鉛直に起立させることができること、
を特徴とするコンクリート版多段成形型枠。
【請求項２】
起立手段は、任意の曲率半径の曲線の一部、楕円曲線の一部、複次曲線の一部、または、これらの曲線の任意の組合せによる曲線の一部に沿った曲面に形成されていること、
を特徴とする請求項１に記載のコンクリート版多段成形型枠。
【請求項３】
コンクリート版に差筋部が設けられる場合には、下段のコンクリート版の当該差筋部を避けて上段のコンクリート版を水平方向にずらしたことにより前記下段のコンクリート版端面から突出する側である後方型枠部が、階段状に形成されること、
を特徴とする請求項１または２に記載のコンクリート版多段成形型枠。
【請求項４】
階段状に形成された後方型枠部には、当該階段状の形状に合わせた階段状部を有する転倒防止仕切版が、着脱自在に設けられること、
を特徴とする請求項３に記載のコンクリート版多段成形型枠。
【請求項５】
後方型枠部とこれに対向する前方型枠部のうち、少なくとも前方型枠部は、左右の側方型枠部に対して着脱自在であって、上段のコンクリート版へ転用されるものであること、
を特徴とする請求項１乃至４のいずれかに記載のコンクリート版多段成形型枠。
【請求項６】
側方型枠部には、コンクリート版を固定する固定手段が設けられていること、
を特徴とする請求項１乃至５のいずれかに記載のコンクリート版多段成形型枠。
【請求項７】
コンクリート版を、型枠内において鉛直方向に積層して複数段に成形し、該複数段のコンクリート版を前記型枠と共に起立させた後に、前記型枠からコンクリート版を脱型させること、
を特徴とするプレキャストコンクリート版の製造方法。
【請求項８】
型枠は、請求項１乃至６に記載のコンクリート版多段成形型枠であること、
を特徴とする請求項７に記載のプレキャストコンクリート版の製造方法。
【請求項９】
上下段のコンクリート版の間には、剥離部材が敷設されていること、
を特徴とする請求項７又は８に記載のプレキャストコンクリート版の製造方法。
【請求項１０】
コンクリート版が略Ｌ字型であること、
を特徴とする請求項７，８又は９に記載のプレキャストコンクリート版の製造方法。
【発明の詳細な説明】
【０００１】
【発明の属する技術分野】
本発明は、例えば、建築現場のサイトや工場において成形されるプレキャストコンクリート版用の型枠に係り、特に、コンクリート構造物等の建築現場においてサイトプレファブ工法において成形されるサイトＰＣ（プレキャストコンクリート、以下同じ）に好適な成形型枠と製造方法とに関する。
【０００２】
【従来の技術】
従来、サイトＰＣ工事においては、図１１に示すように、鉄板３等を地面２に敷設して平滑な床面を形成し、コンクリート版１のピース毎に所要の大きさの型枠１５を製作し、該型枠１５内に所要の鉄筋１６を配筋してコンクリートを打設して、ＰＣ版を成型する方法が知られている。
【０００３】
前記１ピース分のコンクリートを打設したなら、その後のＰＣ版を成形する方法には、方法▲１▼：前記１ピースのコンクリートがある程度に硬化した後に、前記コンクリートを養生させつつ、当該コンクリートの型枠を脱型させて隣の床面上に載置して転用し、該転用型枠内に配筋しコンクリートを打設するか、または、方法▲２▼：必要な数の型枠をサイトに形成して各型枠内に配筋して、コンクリートを各々に打設して形成するというものである。
【０００４】
【発明が解決しようとする課題】
しかしながら、上記従来のサイトＰＣ成形方法では、各ピース毎にサイトにおいてスペースが必要となる。建築現場においてサイトの必要面積が拡大するのは好ましくなく、一方、限られたスペース内では、ＰＣ版を同時に多数成形できなくなる。また、成形するＰＣ版の数だけ型枠を用意するのでは型枠製作コストが嵩み、型枠転用にしても、転用の盛替え作業に手間が掛かるとともに、ＰＣ版成形の同時施行もできないという課題がある。
【０００５】
更に、限られた狭いスペースのサイトにおいて、平坦なＰＣ版を積層させて成形することも考えられるが、これでは、最上段のＰＣ版が養生中で、最下段のＰＣ版が養生期間を経過している場合において、当該最下段のＰＣ版を先に取り出して使用することができないとい課題がある。本発明に係るコンクリート版多段成形型枠は、このような課題を解消するために提案されたものである。
【０００６】
【課題を解決するための手段】
本発明に係るコンクリート版多段成形型枠の上記課題を解決するための要旨は、多段にして略水平に積層したコンクリート版を、後方型枠部又は側方型枠部における水平部と鉛直部との隅角部の少なくとも一部に設けた起立手段によって、略鉛直に起立させることができることである。
【０００７】
前記起立手段は、任意の曲率半径の曲線の一部、楕円曲線の一部、複次曲線の一部、または、これらの曲線の任意の組合せによる曲線の一部に沿った曲面に形成されていること、；前記コンクリート版に差筋部が設けられる場合には、下段のコンクリート版の当該差筋部を避けて上段のコンクリート版を水平方向にずらしたことにより前記下段のコンクリート版端面から突出する側である後方型枠部が、階段状に形成されること、；階段状に形成された後方型枠部には、当該階段状の形状に合わせた階段状部を有する転倒防止仕切版が、着脱自在に設けられること、；前記後方型枠部とこれに対向する前方型枠部のうち、少なくとも前方型枠部は、左右型枠部に対して着脱自在であって、上段のコンクリート版へ転用されるものであること、；前記側方型枠部には、コンクリート版を固定する固定手段が設けられていること、を含むものである。
【０００８】
本発明に係るプレキャストコンクリート版の製造方法の要旨は、コンクリート版を、型枠内において鉛直方向に積層して複数段に成形し、該複数段のコンクリート版を前記型枠と共に起立させた後に、前記型枠からコンクリート版を脱型させることである。
【０００９】
前記型枠は、上記本発明に係るコンクリート版多段成形型枠であること、；前記上下段のコンクリート版の間には、剥離部材が敷設されていること、；更に、前記コンクリート版が略Ｌ字型であることを含むものである。
【００１０】
本発明に係るコンクリート版多段成形型枠によれば、サイトにおいて、ほぼ１ピース分のスペースで、複数個のコンクリート版を製作することができる。コンクリート版を積層させて成形したものでも、前記コンクリート版多段成形型枠を略鉛直に起立させることができるので、養生期間の最も長い最下段のコンクリート版から順番に、このコンクリート版多段成形型枠から取り出すことができるものである。
【００１１】
本発明に係るプレキャストコンクリート版の製造方法によれば、コンクリート版を複数段に積層して制作した場合でも、養生期間の長いコンクリート版から順番に型枠から取り出せるようになるものである。また、本発明に係るコンクリート版多段成形型枠を使用すれば、積層下コンクリート版を容易に起立させることができるようになる。更に、剥離部材をコンクリート版の間に介在させて敷設するので、コンクリート版の型枠からの脱型作業を容易にするものである。
【００１２】
【発明の実施の形態】
次に、本発明に係るコンクリート版多段成形型枠とプレキャストコンクリート版の製造方法について図面を参照して説明する。なお、発明の理解の容易のため従来例に対応する部分には従来例と同一符号を付けて説明する。
【００１３】
本発明に係るプレキャストコンクリート版の製造方法は、図１（Ａ），（Ｂ），（Ｃ）に示すように、コンクリート構造物を構築する予定の建築現場の一部において、サイトプレファブ工法によりプレキャストコンクリート版１を製造するに当たり、当該プレキャストコンクリート版の略１ピース分のスペースにて、多数のプレキャストコンクリート版１を効率的に製造する方法である。
【００１４】
この製造方法を具体的に説明すると、図１（Ａ）に示すように、建築現場の余地の一部に、地面２に例えば鉄板３を敷く。該鉄板３の上に、型枠４をセットする。型枠４は、木製、プラスチック製、金属製のいずれかで特に限定するものでなく、左右の側方型枠部４ａ，４ｂと、後方型枠部４ｃと、前方型枠部４ｄとからなる。このうち、前方型枠部４ｄは、その高さを少なくとも１枚のプレキャストコンクリート版１の高さと同じかそれ以上にして、下段のプレキャストコンクリート版から上段のプレキャストコンクリート版へと転用されるものである。
【００１５】
前記前方型枠部４ｄの上段への転用には、例えば、ねじ・ボルト等で締結を緩めて上移動後に再度固定したり、左右の側方型枠部４ａ，４ｂの前端縁部に上下方向のガイド溝（図示せず）を設けて、それにより前方型枠部４ｄの両端部を上方向に案内させ、該前方型枠部４ｄをスライドさせてボルト等で固定するようにしても良い。
【００１６】
前記左右の側方型枠部４ａ，４ｂには、プレキャストコンクリート版１を固定するための固定手段として、ボルト貫通用の貫通孔４ｅ、該貫通孔４ｅに挿通させるボルト８、該ボルト８に螺装されるもので型枠内側にインサート配設される固定用金物（図示せず）が用意される。
【００１７】
前記型枠４を鉄板３上にセットした後に、前記固定用金物に貫通孔４ｅからボルト８を固定して及び吊用のフック５をインサートさせて支持し、鉄筋を配筋して、最下段のプレキャストコンクリート版用にコンクリートを打設する。その後、例えば、１日若しくは２日後に、上段のプレキャストコンクリート版１ｂを打設できる様な強度が発現した後に、前方型枠部４ｄを一段上に転用し、前記プレキャストコンクリート版１ａ上に、剥離部材として薄いシート（図示せず）を敷設する。そして、前記固定用金物に貫通孔４ｅからボルト８を固定して及び吊用のフック５をインサートさせて支持し、鉄筋を配筋して２段目のコンクリートを打設する。このようなコンクリート打設作業を繰り返して、例えば、５段のプレキャストコンクリート版１ａ、１ｂ、…１ｅを成形する。
【００１８】
前記最上段のプレキャストコンクリート版１ｅが、ある程度の強度が発現した後に、図１（Ｂ）に示すように、クレーン等により、フック５に引っかけて、型枠４及びプレキャストコンクリート版１ａ，１ｂ，…１ｅを略水平状態から略鉛直方向に起立させる。
【００１９】
そして、最下段のプレキャストコンクリート版１ａにおける、固定用のボルト８を緩めて取り外す。更に、クレーンのワイヤー６を巻き上げて、前記最下段のプレキャストコンクリート版１ａを引き上げて脱型させる。その後、養生期間の経過により、固定用のボルト８を外し、フックで吊り上げて各プレキャストコンクリート版１ｂ，…１ｅを順次、剥離部材のシートも外しながら脱型させるものである。
【００２０】
なお、養生期間が十分にある場合には、必ずしも、プレキャストコンクリート版１の脱型順序を限定するものではなく、図１（Ａ）に示す状態で上から順に脱型させることもできる。しかし、本発明では、鉛直方向に複数段に積層して成形したプレキャストコンクリート版１において、最初にコンクリートを打設した最下段のプレキャストコンクリート版１ａが養生期間経過し、他のプレキャストコンクリート版１ｂ、…１ｅが養生期間を経過していない場合に、前記養生期間の経過したプレキャストコンクリート版から、即ち、最下段のプレキャストコンクリート版１ａから脱型させて建築工事を遂行できることに意義があるのである。
【００２１】
また、前記型枠４において、鉄板３にセットした状態での高さ寸法ａは、複数段のプレキャストコンクリート版１の高さと同じか若しくはそれよりも高くしてある。図１（Ｂ）に示すように、この型枠を起立させた際に、自立安定性において、どの程度の高さにするかを考慮して決められる設計的事項である。
【００２２】
更に、四角形状のプレキャストコンクリート版１を、単に鉛直方向に積層して成形するので、後方型枠部４ｃを前方型枠部４ｄと同じ形状・大きさにして、当該後方型枠部４ｃと前方型枠部４ｄとを、左右の側方型枠部４ａ，４ｂに対して着脱自在であって、上段のコンクリート版へ転用するようにすることもできる。そのようにした場合には、型枠を起立させる際に、前記後方型枠部４ｃと前方型枠部４ｄとを撤去しておくものである。
【００２３】
このように、コンクリート版１を、型枠４内において鉛直方向に積層して複数段に成形し、該複数段のコンクリート版１を前記型枠４と共に起立させた後に、前記型枠４からコンクリート版１を脱型させるものである。
【００２４】
本発明の第２実施例は、上記本発明の製造方法において、型枠４を水平状態から鉛直状態に起立させることについて、より、容易に起立させるために前記型枠４を工夫したものである。本発明に係るコンクリート版多段成形型枠７は、図２に示すように、木製、プラスチック製、金属製等からなり、左右の側方型枠部７ａ，７ｂと、後方型枠部７ｃと、前方型枠部７ｄとからなる。
【００２５】
前記左右の側方型枠部７ａ，７ｂは、その後端部が、プレキャストコンクリート版の後端部よりも更に後方に長く延設され、当該後端部における水平部７ｆと鉛直部７ｇとの隅角部に起立手段である、曲面部７ｈが設けられている。
【００２６】
前記起立手段である曲面部７ｈは、任意の曲率半径Ｒの曲線の一部、楕円曲線の一部、複次曲線の一部、または、これらの曲線の任意の組合せによる複合的な曲線の一部、に沿った曲面に形成されている。ここで、複次曲線には、例えば、２次曲線や３次曲線、サイン（ｓｉｎ）カーブやコサイン（ｃｏｓ）カーブなどの三角関数の曲線も含まれるものでる。
【００２７】
なお、起立手段は、型枠の起立作業を容易にするためであるので、例えば、図３に示すように、前記左右の側方型枠部７ａ，７ｂの後端部における水平部７ｆと鉛直部７ｇとを斜めに直線で結ぶテーパ部７ｉとしても良い。
【００２８】
更に、前記左右の側方型枠部７ａ，７ｂの後端部に横架させて構造的に補強する後部補強板７ｊが設けられ、前記起立手段を補強する起立補助板７ｋが設けられている。前記後部補強板７ｊは、コンクリート版多段成形型枠７を起立させた時には、水平な底板となる平板対である。また、前記起立補助板７ｋのコーナ部も、前記起立手段としての曲面部７ｈ，テーパ部７ｉと同じ形状にされるのは勿論である。
【００２９】
このコンクリート版多段成形型枠７を使用すれば、前記起立手段である曲面部７ｈ若しくはテーパ部７ｊにより、クレーンでプレキャストコンクリート版１を持ち上げて起立せる際に、スムーズに起立させることができるのである。なお、当該コンクリート版多段成形型枠７を起立させた後は、図４に示すように、転倒しないように、支持台９を用いるようにするものである。
【００３０】
本発明の第３実施例は、図５に示すように、プレキャストコンクリート版１に接続用の差筋部１ｆが設けられる場合の、コンクリート版多段成形型枠１０を形成したものである。この場合の差し筋は、上方向に突出し左右方向に併設しているものである。下段のコンクリート版１の当該差筋部１ｆを避けて上段のコンクリート版１を水平方向にずらしたことにより、前記下段のコンクリート版の後端面から突出する側、即ち図５では後方側の後方型枠部１０ｃの、全部若しくは一部に階段部１０ｅが形成される。
【００３１】
また、前記後方型枠部１０ｃの外側には、階段状の形状に合わせた階段状部を有する転倒防止仕切版１１が、着脱自在に設けられる。左右の側方型枠部１０ａ，１０ｂの後方に、起立手段である曲面１０ｈ（既述の曲面部７ｈと同様）が設けられ、前記後方型枠部１０ｃの下で左右方向に適宜間隔で起立手段１０ｈを形成する起立補助板１０ｉが設けられている。
【００３２】
このような本発明に係るコンクリート版多段成形型枠１０を使用して、本発明のプレキャストコンクリート版の製造方法を使用すると、まず、サイトの鉄板３上に前記コンクリート版多段成形型枠１０をセットし、図５に示すように、鉄筋を配筋し差し筋を併設して配筋すると共に、固定手段のボルト８，固定金物及び吊用フック５をインサートし、コンクリートを打設して、最下段のプレキャストコンクリート版１ａを形成する。
【００３３】
その後、剥離部材としてのシートを前記最下段のプレキャストコンクリート版１ａの上に敷設し、図６に示すように、前方型枠部１０ｄを、上にあげると共に、下段のプレキャストコンクリート版１の差筋部１ｆを避けるため後方にずらして転用する。そして、必要な鉄筋の配筋等を行い、コンクリートを打設して２段目のプレキャストコンクリート版１ｂを成型する。これを繰り返して、図７に示すように、例えば、コンクリート版多段成形型枠１０に、５段のプレキャストコンクリート版１ａ，１ｂ…１ｅを積層して形成する。
【００３４】
そして、最初にコンクリートを打設した最下段のプレキャストコンクリート版１ａの養生期間が経過し、最後にコンクリートを打設した５段目のプレキャストコンクリート版１ｅや４段目のプレキャストコンクリート版１ｄの養生期間が十分に経過していない状態で、図８に示すように、クレーンでクッフ５にワイヤ６を引っかけて、プレキャストコンクリート版１及びコンクリート版多段成形型枠１０を、略水平状態から略鉛直状態に起立させる。
【００３５】
コンクリート版多段成形型枠１０を起立させた状態では、傾いたり転倒したりするおそれもあるので、前記転倒防止仕切版１１を後方型枠部１０ｃの階段状部の下に、適宜間隔で複数箇所に差し込んで、プレキャストコンクリート版１及びコンクリート版多段成形型枠１０を支持させるものである。
【００３６】
そして、固定手段のボルト８を緩めて外し、前記クレーンで更にワイヤ６を巻き上げ、最下段のプレキャストコンクリート版１ａを脱型させるものである。
このように、プレキャストコンクリート版１に差し筋がある場合でも、略１ピース分程度のスペースで、プレキャストコンクリート版１を複数製作できるものである。
【００３７】
本発明の第４実施例は、図９乃至図１０に示すように、前記プレキャストコンクリート版１が、略Ｌ字型の形状にされていることである。コンクリート版多段成形型枠１０は前記第３実施例のものと同様であり、構造については説明を省略する。この実施例では、図９（Ｂ）に一部拡大して示すように、プレキャストコンクリート版１の形状をＬ字型にする、前方型枠部１０ｊ，１０ｋを転用して使用するものである。
【００３８】
また、Ｌ字型のプレキャストコンクリート版１ｇ，１ｈ，…には、その立ち上がり面に、吊用のフック５が設けられる。この実施例においても、コンクリート版多段成形型枠１０により、複数段のＬ字型プレキャストコンクリート版が成形され、養生期間の経過したものから順番に脱型させるものである。
【００３９】
【発明の効果】
以上説明したように、本発明に係るコンクリート版多段成形型枠は、多段にして略水平に積層したコンクリート版を、後方型枠部又は側方型枠部における水平部と鉛直部との隅角部の少なくとも一部に設けた起立手段によって、略鉛直に起立させることができるので、複数個のプレキャストコンクリート版のうち、養生期間の経過したものから順番に型枠から脱型させて使用することができる。また、サイトにおいて、略１ピース分のスペースだけで、複数個のプレキャストコンクリート版を容易に成形することができると言う優れた効果を奏するものである。
【００４０】
また、前記起立手段は、任意の曲率半径の曲線の一部、楕円曲線の一部、複次曲線の一部、または、これらの曲線の任意の組合せによる曲線の一部に沿った曲面に形成されているので、型枠の起立作業がスムーズ、且つ、容易となると言う優れた効果を奏するものである。
【００４１】
更に、コンクリート版に差筋部が設けられる場合には、下段のコンクリート版の当該差筋部を避けて上段のコンクリート版を水平方向にずらしたことにより前記下段のコンクリート版端面から突出する側である後方型枠部が、階段状に形成されることで、差し筋のある複数個のプレキャストコンクリート版も容易に狭いスペースで成形することができる。
【００４２】
前記階段状に形成された後方型枠部には、当該階段状の形状に合わせた階段状部を有する転倒防止仕切版が、着脱自在に設けられるので、水平状態及び起立させた鉛直状態において、コンクリート版多段成形型枠に成形されたプレキャストコンクリート版の自立を安定させる。
【００４３】
前記後方型枠部とこれに対向する前方型枠部のうち、少なくとも前方型枠部は、左右型枠部に対して着脱自在であって、上段のコンクリート版へ転用されるものであるので、型枠の製作が容易となる。
【００４４】
前記側方型枠部には、コンクリート版を固定する固定手段が設けられているので、プレキャストコンクリート版と型枠とを一体にして起立させることができる。
【００４５】
本発明に係るプレキャストコンクリート版の製造方法の要旨は、型枠内において鉛直方向に積層して複数段に成形し、該複数段のコンクリート版を前記型枠と共に起立させた後に、前記型枠からコンクリート版を脱型させる製造方法なので、前記複数段のプレキャストコンクリート版のうち、養生期間の経過したものから順番に脱型させ使用することができ、プレキャストコンクリート版を１ピース分のスペースで、複数個のプレキャストコンクリート版を効率的に成形し、かつ、長期間待つことなく使用できる方法となると言う優れた効果を奏するものである。
【００４６】
前記本発明のコンクリート版多段成形型枠を使用することで、型枠の起立作業が容易となるものである。
【００４７】
また、上下段のプレキャストコンクリート版の間には、剥離部材が敷設されているので、コンクリート版の脱型が容易となり、更に、前記コンクリート版が略Ｌ字型である場合にも、前方型枠部の型枠転用で容易に成形することができる。
【図面の簡単な説明】
【図１】本発明に係るプレキャストコンクリート版の製造方法の手順を示す説明図（Ａ），（Ｂ），（Ｃ）である。
【図２】同本発明の第２実施例に係るコンクリート版多段成形型枠７の斜視図である。
【図３】同本発明に係るコンクリート版多段成形型枠７における、起立手段の他の例を示す側面図である。
【図４】同本発明に係るコンクリート版多段成形型枠７を起立させた状態の側面図である。
【図５】同本発明の第３実施例に係るコンクリート版多段成形型枠１０の使用状態を示す説明図である。
【図６】同本発明の第３実施例に係るコンクリート版多段成形型枠１０の使用状態を示す説明図である。
【図７】同本発明の第３実施例に係るコンクリート版多段成形型枠１０の使用状態を示す説明図である。
【図８】同本発明の第３実施例に係るコンクリート版多段成形型枠１０を起立させて脱型させる使用状態説明図である。
【図９】同本発明の第４実施例に係るコンクリート版多段成形型枠１０の使用状態の説明図（Ａ）と、前方型枠部の一部拡大詳細図（Ｂ）である。
【図１０】同本発明の第４実施例に係るコンクリート版多段成形型枠１０を起立させて脱型させる使用状態説明図である。
【図１１】従来例に係るプレキャストコンクリート版の製造方法を説明する説明図である。
【符号の説明】
１，１ａ，…１ｅ，１ｇ，１ｈ        プレキャストコンクリート版、
１ｆ        差筋部、    ２      地面、      ３        鉄板、
４          型枠、      ４ａ，４ｂ              側方型枠部、
４ｃ        後方型枠部、        ４ｄ            前方型枠部、
４ｅ        貫通孔、    ５      フック、    ６      ワイヤ、
７          コンクリート版多段成形型枠、    ７ａ，７ｂ    側方型枠部、
７ｃ        後方型枠部、  ７ｄ    前方型枠部、    ７ｆ      水平部、
７ｇ        鉛直部、      ７ｈ    曲面、          ７ｉ    テーパ部、
７ｊ        後部補強板、  ７ｋ    起立補助板、    ８      ボルト、
９          支持台、      １０    コンクリート版多段成形型枠、
１０ａ，１０ｂ      側方型枠部、  １０ｃ      後方型枠部、
１０ｄ              前方型枠部、  １０ｅ      階段部、
１０ｈ              起立手段、    １０ｉ      起立補助板、
１０ｊ，１０ｋ      Ｌ字型用の前方型枠部、
１１        転倒防止仕切版。
【図１】
0003988816.tif 000002
【図２】
0003988816.tif 000003
【図３】
0003988816.tif 000004
【図４】
0003988816.tif 000005
【図５】
0003988816.tif 000006
【図６】
0003988816.tif 000007
【図７】
0003988816.tif 000008
【図８】
0003988816.tif 000009
【図９】
0003988816.tif 000010
【図１０】
0003988816.tif 000011
【図１１】
0003988816.tif 000012